【事件の表示】
　特願２００３−　３７２８４「ネットワークファクシミリ装置」拒絶査定不服審判事件〔平成１５年１０月　３日出願公開、特開２００３−２８３７７９〕について、次のとおり審決する。
【結　論】
　本件審判の請求は、成り立たない。
【理　由】
第１　手続きの経緯
　本願は、平成１０年１２月２８日に出願された特願平１０−３７２９５９号（以下「原出願」という。）の一部を平成１５年２月１４日に新たな特許出願としたものであって、平成１８年８月４日に拒絶査定がされ、これに対して平成１８年９月８日に拒絶査定不服審判が請求されるとともに、手続補正がなされたものである。
　
第２　平成１８年９月８日付けの手続補正の却下について
　１　補正却下の決定の結論
　平成１８年９月８日付けの手続補正を却下する。
　
　２　理由
　（１）　補正後の本願発明
　本件補正により、特許請求の範囲は次のとおり補正された。（以下、「補正発明」という。）
　「【請求項１】　ネットワークに接続されるネットワーク制御手段を有するネットワークファクシミリ装置において、ネットワークより前記ネットワーク制御手段を介して受信したイメージデータを、このイメージデータに自動的に付与される文書番号とともに格納する記憶手段と、この記憶手段に格納された文書番号を含む文書リストを作成するＨＴＭＬファイル作成手段と、前記ネットワーク制御手段を介して入力されるクライアント端末からの指示に基づいて、前記ＨＴＭＬファイル作成手段により作成された文書リストを前記クライアント端末に送信して文書リストとして表示させ、前記クライアント端末における前記文書リスト中の文書の選択と、編集アイコンの選択とに基づいて、選択された文書の文書番号が編集対象の欄に自動挿入された編集用のＨＴＭＬファイルを前記クライアント端末に送信して、前記クライアント端末に前記選択された文書の文書番号が編集対象の欄に挿入された編集指示画面を表示させ、前記クライアント端末において編集対象の欄に挿入されている前記選択された文書の文書番号を変更可能とさせるＷＷＷサーバ手段とを具備するネットワークファクシミリ装置。
　【請求項２】　ネットワークに接続されるネットワーク制御手段を有するネットワークファクシミリ装置において、ネットワークより前記ネットワーク制御手段を介して受信したイメージデータを、このイメージデータに自動的に付与される文書番号とともに格納する記憶手段と、この記憶手段に格納された文書番号を含む文書リストを作成するＨＴＭＬファイル作成手段と、前記ネットワーク制御手段を介して入力されるクライアント端末からの指示に基づいて、前記ＨＴＭＬファイル作成手段により作成された文書リストを前記クライアント端末に送信して文書リストとして表示させ、前記クライアント端末における前記文書リスト中の文書の選択と、削除アイコンの選択とに基づいて、選択された文書の文書番号が削除対象の欄に自動挿入された削除用のＨＴＭＬファイルを前記クライアント端末に送信して、前記クライアント端末に前記選択された文書の文書番号が削除対象の欄に挿入された削除指示画面を表示させ、前記クライアント端末において削除対象の欄に挿入されている前記選択された文書の文書番号を削除することの決定を行わせるＷＷＷサーバ手段とを具備するネットワークファクシミリ装置。」
　
　（２）　補正前の本願発明
　本件補正前である拒絶査定時の特許請求の範囲（平成１８年７月１３日付け手続補正書）に記載された発明（以下、「補正前発明」という。）は、次のとおりである。
　「【請求項１】　ネットワークに接続されるネットワーク制御手段を有するネットワーク通信装置において、ネットワークより前記ネットワーク制御手段を介して受信したイメージデータを、このイメージデータに自動的に付与される文書番号とともに格納する記憶手段と、この記憶手段に格納された文書番号を含む文書リストを作成するＨＴＭＬファイル作成手段と、前記ネットワーク制御手段を介して入力されるクライアント端末からの指示に基づいて、前記ＨＴＭＬファイル作成手段により作成された文書リストを前記クライアント端末に送信して文書リストとして表示させ、前記クライアント端末における前記文書リスト中の文書の選択と、編集アイコンの選択とに基づいて、選択された文書の文書番号が編集対象の欄に自動挿入された編集用のＨＴＭＬファイルを前記クライアント端末に送信して、前記クライアント端末に前記選択された文書の文書番号が編集対象の欄に挿入された編集指示画面を表示させ、前記クライアント端末において編集対象の欄に挿入されている前記選択された文書の文書番号を変更可能とさせるＷＷＷサーバ手段とを具備するネットワーク通信装置。
　【請求項２】　ネットワークに接続されるネットワーク制御手段を有するネットワーク通信装置において、ネットワークより前記ネットワーク制御手段を介して受信したイメージデータを、このイメージデータに自動的に付与される文書番号とともに格納する記憶手段と、この記憶手段に格納された文書番号を含む文書リストを作成するＨＴＭＬファイル作成手段と、前記ネットワーク制御手段を介して入力されるクライアント端末からの指示に基づいて、前記ＨＴＭＬファイル作成手段により作成された文書リストを前記クライアント端末に送信して文書リストとして表示させ、前記クライアント端末における前記文書リスト中の文書の選択と、削除アイコンの選択とに基づいて、選択された文書の文書番号が削除対象の欄に自動挿入された削除用のＨＴＭＬファイルを前記クライアント端末に送信して、前記クライアント端末に前記選択された文書の文書番号が削除対象の欄に挿入された削除指示画面を表示させ、前記クライアント端末において削除対象の欄に挿入されている前記選択された文書の文書番号を削除することの決定を行わせるＷＷＷサーバ手段とを具備するネットワーク通信装置。」
　
（３）　補正の適否
　補正前発明と補正発明とを対比すると、本件補正は、補正前発明の請求項１及び２に係る発明の発明の対象のみをそれぞれ「ネットワーク通信装置」から「ネットワークファクシミリ装置」とする補正であり、補正前発明の請求項１に係る発明を特定するために必要なすべての事項である「ネットワーク制御手段」、「記憶手段」、「ＨＴＭＬファイル作成手段」及び「ＷＷＷサーバ手段」と、補正前発明の請求項２に係る発明を特定するために必要なすべての事項である「ネットワーク制御手段」、「記憶手段」、「ＨＴＭＬファイル作成手段」及び「ＷＷＷサーバ手段」とについて何ら変更を行っていない。
　したがって、本件補正は補正前発明を特定するために必要な事項をさらに限定したものでなく、本件補正は平成１８年改正前特許法１７条の２第４項２号に規定する特許請求の範囲の減縮に該当する補正とはいえない。
　また、本件補正は、請求項の削除、誤記の訂正、又は明りょうでない記載の釈明を目的としたものにも該当せず、平成１８年改正前特許法１７条の２第４項の規定に違反するものであり、同法１５９条１項で準用する同法５３条１項の規定により却下すべきものである。
　
　さらに、補正前発明においてその発明の対象である「ネットワーク通信装置」を発明を特定するために必要な事項であるとして、本件補正が、補正前発明の請求項１及び２に係る発明を特定するために必要な事項である「ネットワーク通信装置」を「ネットワークファクシミリ装置」と限定する補正であり、平成１８年改正前特許法１７条の２第４項２号の特許請求の範囲の減縮を目的とするものに該当するとした場合に、本件補正後の特許請求の範囲の請求項に記載された発明が特許出願の際独立して特許を受けることができるものであるか（平成１８年改正前特許法１７条の２第５項において準用する同法１２６条５項の規定に適合するか）についても以下に検討する。
　
　（４）　補正後の本願発明
　本件補正後の本願の発明は、平成１８年９月８日付けで補正された特許請求の範囲の請求項１及び２に記載されたものと認められるところ、その請求項２に記載された発明（以下、「本願補正発明」という。）は、次のとおりのものである。
　「【請求項２】　ネットワークに接続されるネットワーク制御手段を有するネットワークファクシミリ装置において、ネットワークより前記ネットワーク制御手段を介して受信したイメージデータを、このイメージデータに自動的に付与される文書番号とともに格納する記憶手段と、この記憶手段に格納された文書番号を含む文書リストを作成するＨＴＭＬファイル作成手段と、前記ネットワーク制御手段を介して入力されるクライアント端末からの指示に基づいて、前記ＨＴＭＬファイル作成手段により作成された文書リストを前記クライアント端末に送信して文書リストとして表示させ、前記クライアント端末における前記文書リスト中の文書の選択と、削除アイコンの選択とに基づいて、選択された文書の文書番号が削除対象の欄に自動挿入された削除用のＨＴＭＬファイルを前記クライアント端末に送信して、前記クライアント端末に前記選択された文書の文書番号が削除対象の欄に挿入された削除指示画面を表示させ、前記クライアント端末において削除対象の欄に挿入されている前記選択された文書の文書番号を削除することの決定を行わせるＷＷＷサーバ手段とを具備するネットワークファクシミリ装置。」
　
　（５）　引用例
　原出願の出願前に頒布されたＥＤ　ＴＩＴＴＬＥ、ＭＡＲＫ　ＧＡＩＴＨＥＲ、ＳＥＢＡＳＴＩＡＮ　ＨＡＳＳＩＮＧＥＲ、＆　ＭＩＫＥ　ＥＲＷＩＮ著、臼田昭司、伊藤敏訳、「秘伝　ＨＴＭＬ、ＣＧＩ、ＰｅｒｌによるＷｅｂプログラミング」、平成９年８月、ビー・エヌ・エヌ発行、２９３ないし３１６ページ（以下、「引用例１」という。）には次の事項が図面と共に開示されている。
　ア　「コンピュータによるファックスの利点
　コンピュータを介してファックスの送受信をすることは単に”新しもの好き”の道楽ではありません。オフィスに縛られずにより柔軟に仕事に取り組むことを可能にする強力なビジネスツールです。小さな会社がファックスシステムを持つための安価な手段でもあります。ここでコンピュータによるファックスの優れた特徴のいくつかを見ることにしましょう。
＋受信したファックス文書は、コンピュータのハードディスクに電子的に保存されます。したがって、いったんコンピュータの画面に表示して、紙に保存する価値のあるものかどうかを確かめることができ、紙と費用を節約できます。
＋（略）
＋インターネット接続（通常は市内電話あるいは専用線経由）を使うほうが長距離市外電話によって直接ファックスにダイヤルするよりも、電話代を節約できます。
＋（略）
＋ファックスもネットワーク化することが可能です。ネットワークプリンタサーバがプリンタの購入コストを節約するように、ネットワークファックスサーバを設置すれば、すべてのオフィスにファックスモデムとアナログ回線を設置する費用を節約できます。」（２９４ページ２ないし２２行）
　イ　「なぜ、Ｗｅｂ化されたファックスシステムか
　Ｗｅｂはインターネットに接続さえできればどこからでもアクセスすることができますから、ファックスをＷｅｂで提供することには非常に大きな意味があります。Ｗｅｂがすでに多くの種類の文書を配信しているのとまったく同じように、Ｗｅｂグラフィックスの１つのバリエーションとしてグラフィカルなファックスデータを配信することができます。
　現在ではパーソナルファックスやネットワークファックスサーバ用のソフトウェアが簡単に手に入るようになっているので、本質的にそれらと同じことをするＣＧＩプログラムを作ることは無駄なことに思えるかもしれません。しかし、Ｗｅｂに基づいたファックスゲートウェイには、現行のスタンドアロンやネットワークパッケージが提供していない、多くの優れた点があります。
＋多くの場所からの管理。すなわち、インターネット接続とＷｅｂブラウザがあればどこからでも、ファックスの送信、受信、管理、あるいは印刷ができます。」（２９５ページ６ないし１７行）
　ウ　「ファックスビューアの仕様
　ファックスビューアの最低限の機能は、次の４つとなります。
１．ファックス受信
２．ファックス変換
３．ファックス管理画面
４．管理画面のバックエンド
　では、１つ１つ説明していきましょう。
　
ファックス受信
　ファックス受信には、次の処理が必要です。
１．電話がかかってきたときに、モデムの呼び出しに応えること。
２．送信されてきたデータがファックスであることを通知すること。
３．作業用のディレクトリにファックスファイルを保存すること。」（２９６ページ１ないし１２行）
　エ　「ファックス管理画面
　ファックス管理画面のユーザーインターフェースには、受信したファックスのリストと、管理者がこれを処理するためのオプションが必要です。この２つはファックスシステムのごく基本的な機能ですから、さらに以下のような３つの機能を実装します。
１．ファックスの表示（拡大機能付き）
２．ファックスの削除
３．サムネイル形式での表示
　
森を守る：紙資源の節約
　最初の２つのオプションは説明するまでもないでしょう。最後のオプションはファックスを小さなグラフィックスで表示する機能で、フルサイズでロードする前に内容を確認することができます。これは特に通信速度が遅いインターネット接続を利用しているときに役に立ちます。また、ファックスをまとめて表示したり削除したりできるように、リストから複数のファックスを選択できるようにしたほうがよいでしょう。もちろん、必要なときにはいつでもブラウザに組み込まれているプリント機能を使って、ファックスを紙に印刷することができます（しかし、ファイル内容を確認するところまでは、木を１本も切り倒すことなくできるのです）。
　
ＨＴＭＬとＰｅｒｌの”いいとこ取り”によるブレンド
　ＨＴＭＬを使うと、複数選択が可能なリストやオプションのコマンドボタンを作り出すためのコードが書けます。Ｗｅｂにリストを配布することもできます。しかし、受信したファックスのリストの読み出しに関しては、ちょっと荷が重すぎます。
　ここでＰｅｒｌを使うことによって、ファックスのディレクトリを読んだり、そこから情報を取得するためのシステムコールを作成することができます。繰り返しますが、スピードは重要ではありません。シェルスクリプトを使わないのは、簡単に移植できるという点を重視するからです。
　
管理画面のバックエンド
　管理画面のバックエンドは、ファックス処理を扱う必要があります。ユーザーによってファックスの表示またはサムネイルによる表示の処理が選ばれたときには、適当な画面表示を生成し、それを利用者に配信する必要があります。削除の指示があれば、それを実行するのもバックエンドの仕事です。
　
そのとおり！ここでもＨＴＭＬとＰｅｒｌを使います。
　Ｗｅｂブラウザ上にイメージを表示するには、ＨＴＭＬに用意されているタグを使います。Ｐｅｒｌにより、簡単なファイル操作とシステムコールへのアクセスが利用可能になり、それにより削除などの各機能を実行します。」（２９７ページ２９行ないし２９８ページ２９行）
　オ　「ファックスディレクトリを読む
　さて、ファックスの一覧表を作るためには、ファックスディレクトリを読むサブルーチンが必要です。サブルーチンｒｅａｄ＿ｄｉｒはｌｓの出力からのデータの流れをオープンします。オプション−ｌｔはロング形式の一覧出力であること、時刻の逆順に並べることを意味しています：
 sub read_dir{
 open(FAXDIR, Ls -Lt $FAXDIR/. |);
　出力行は構成要素ごとに分けられます。各行に対して、日付、時刻、ファイル名はすべて選択可能なＨＴＭＬフォームリストの＜ＯＰＴＩＯＮ＞として送られます。これらのファイルに関連付けられている日付や時刻はそれが変換されたときの日付や時刻であって、受け取られたときのものではありませんので注意してください。すべてのディレクトリを読み終わったら、データのストリームをクローズします。」（３０４ページ２２ないし３３行）
　
　上記アないしオの記載によると、引用例１には、「市内電話あるいは専用線経由でインターネット接続されるＷｅｂ化されたファックスシステムにおいて、
受信したファックス文書は、コンピュータのハードディスクに電子的に保存し、
ファックスディレクトリから日付、時刻、ファイル名を読み、複数選択が可能な受信したファックスのリストと管理者がファックスの削除を行うコマンドボタンを作り出すためのＨＴＭＬにより書かれたコードによるファックス管理画面を作り、
インターネット接続とＷｅｂブラウザがあればどこからでも、ファックスの送信、受信、管理、あるいは印刷ができ、ユーザーによって削除の指示があれば、それを実行するＷｅｂ化されたファックスシステム」の発明（以下、「引用発明」という。）が記載されていると認められる。
　
　原出願の出願前に頒布された特開平９−２７８９３号公報（以下、「引用例２」という。）には次の事項が図面と共に開示されている。（引用箇所は段落番号等で表示）
　カ　「【特許請求の範囲】【請求項１】通信回線を介して伝送する画像データを蓄積する画像蓄積手段を備え、ファイル番号を付与して該画像データを管理するファクシミリ装置であって、
オペレータが入力操作する入力手段を有し、
該入力手段から入力された入力情報を前記ファイル番号として登録する登録手段を設けたことを特徴とするファクシミリ装置。
（略）
【請求項８】前記画像蓄積手段に画像データを蓄積する際に入力手段から入力ファイル番号の入力がないとき、自動的に付与したファイル番号を登録手段に登録させる番号付与手段を設けたことを特徴とする請求項１記載のファクシミリ装置。」
　
　（６）　対比
　本願補正発明と引用発明とを対比する。
　引用発明の「ファックスシステム」は、ネットワークであるインターネットに接続されるシステムであり、インターネット接続のために必要なネットワーク制御手段を有していることは当業者にとって明らかな事項であるから、本願補正発明と同じ「ネットワークに接続されるネットワーク制御手段を有するネットワークファクシミリ装置」に関するものといえる。
　引用発明の「受信したファックス文書」は、「受信したイメージデータ」といえるから、引用発明の受信したファックス文書を電子的に保存する「コンピュータのハードディスク」は、本願補正発明の「受信したイメージデータを」「格納する記憶手段」に相当する。
　なお、受信したファックス文書は、後にファックスディレクトリから日付、時刻、ファイル名を読み出せるように格納されているから、「ファイル名」とともに格納されているといえる。
　
　引用発明で作られる「ファックスディレクトリから日付、時刻、ファイル名を読み、複数選択が可能な受信したファックスのリストと管理者がファックスの削除を行うコマンドボタンを作り出すためのＨＴＭＬにより書かれたコードによるファックス管理画面」は、「この記憶手段に格納された」「文書リスト」といえ、また引用発明の「複数選択が可能な受信したファックスのリストと管理者がファックスの削除を行うコマンドボタンを作り出すためのＨＴＭＬにより書かれたコード」が「ＨＴＭＬファイル」であることは当業者にとって明らかであるから、引用発明は「この記憶手段に格納された」「文書リストを作成するＨＴＭＬファイル作成手段」を備えているといえる。
　なお、引用例１の図１１−１「複数のファックスが選択されたファックス管理画面」に図示された複数選択が可能な受信したファックスのリストには、読み出されたファイル名が含まれている。
　
　引用発明は、作られた「複数選択が可能な受信したファックスのリストと管理者がファックスの削除を行うコマンドボタンを作り出すためのＨＴＭＬにより書かれたコードによるファックス管理画面」を介して「インターネット接続とＷｅｂブラウザがあればどこからでも、ファックスの送信、受信、管理、あるいは印刷ができ、ユーザーによって削除の指示があれば、それを実行する」ものであり、これらの処理がインターネット接続され、Ｗｅｂブラウザを備えた、クライアントとして機能する端末においてなされること、「ファックス管理画面」の表示がネットワーク制御手段を介した端末からの指示に基づいて「複数選択が可能な受信したファックスのリストと管理者がファックスの削除を行うコマンドボタンを作り出すためのＨＴＭＬにより書かれたコード」を送信することによりなされること、及び、ファックスの削除の決定が端末に表示された「ファックス管理画面」におけるファックスのリスト中のファックスの選択と、削除を行うコマンドボタンの選択とに基づいてなされることは、いずれも当業者にとって明らかな事項であるから、引用発明は、「ネットワーク制御手段を介して入力されるクライアント端末からの指示に基づいて、ＨＴＭＬファイル作成手段により作成された文書リストをクライアント端末に送信して文書リストとして表示させ、クライアント端末における文書リスト中の文書の選択と、削除アイコンの選択とに基づ」く処理を行う「ＷＷＷサーバ手段」を備えているといえる。
　
　以上を踏まえると、両者の一致点及び相違点は以下のとおりである。
【一致点】　ネットワークに接続されるネットワーク制御手段を有するネットワークファクシミリ装置において、受信したイメージデータを格納する記憶手段と、この記憶手段に格納された文書リストを作成するＨＴＭＬファイル作成手段と、前記ネットワーク制御手段を介して入力されるクライアント端末からの指示に基づいて、前記ＨＴＭＬファイル作成手段により作成された文書リストを前記クライアント端末に送信して文書リストとして表示させ、前記クライアント端末における前記文書リスト中の文書の選択と、削除アイコンの選択とに基く処理を行うＷＷＷサーバ手段とを具備するネットワークファクシミリ装置。
　
【相違点】
　相違点１：　本願補正発明では、イメージデータを「ネットワークよりネットワーク制御手段を介して」受信するのに対して、引用発明ではイメージデータをネットワークよりネットワーク制御手段を介して受信していない点。
　相違点２：　本願補正発明では、記憶手段に受信したイメージデータを「このイメージデータに自動的に付与される文書番号とともに」格納し、「文書番号を含む」文書リストを作成し、ＷＷＷサーバ手段において「選択された文書の文書番号が削除対象の欄に自動挿入された削除用のＨＴＭＬファイルを前記クライアント端末に送信して、前記クライアント端末に前記選択された文書の文書番号が削除対象の欄に挿入された削除指示画面を表示させ、前記クライアント端末において削除対象の欄に挿入されている前記選択された文書の文書番号を削除することの決定を行わせる」のに対し、引用発明では、受信したファックス文書を「ファイル名」とともに保存し、「ファイル名」を含む文書リストを作成しているが、ＷＷＷサーバ手段において「削除用のＨＴＭＬファイル」を送信すること、「削除指示画面」を表示させること、及び、「クライアント端末において削除対象の欄に挿入されている前記選択された文書の文書番号を削除することの決定を行わせる」ことを行っていない点。
　
　（７）　当審の判断
　ａ　相違点１について
　引用例１の前掲アの箇所に記載されているようにネットワークを介してファックス文書の通信を行うことは課題として公知技術であるから、引用発明において当該公知技術を適用し、ネットワークよりファックス文書、すなわちイメージデータを受信することは当業者が容易に想到し得たことといえる。
　また、ネットワークよりイメージデータを受信する際に、引用発明のネットワークに接続するための構成であるネットワーク制御手段を介して行うことは、当業者が当然行う事項といえる。
　
　ｂ　相違点２について
　イメージデータの識別情報として、自動的に付与される文書番号を用いることは引用例２に記載されているように周知技術であるから、引用発明に前記周知技術を適用し、引用発明のイメージデータの識別情報として「ファイル名」に代えて、自動的に付与される文書番号を用い、記憶手段に受信したイメージデータを「このイメージデータに自動的に付与される文書番号とともに」格納し、「文書番号を含む」文書リストを作成することは当業者が容易になし得ることといえる。
　また、識別情報を含むデータのリストから選択した識別情報を削除する際に、選択されたデータの識別情報が削除対象の欄に挿入された削除指示画面を表示させ、削除対象の欄に挿入されている選択されたデータの識別情報を削除することの決定を行わせることは、特開平４−２１６９７５号公報の段落【００３６】及び図１５、村瀬康治著「実用　ＭＳ−Ｗｉｎｄｏｗｓ　アスキー・ラーニングシステム２実用コース」（平成７年３月２１日、株式会社アスキー発行）の１８ないし２０ページ、田中亘著「知りたいことがすぐわかるＷｉｎｄｏｗｓの常識事典」（平成５年１２月２０日、株式会社日本実業出版社発行）の１６０ないし１６８ページに示されるように、記憶手段に格納されたデータを管理する情報処理の技術分野において慣用技術であり、また、削除指示画面の表示を、文書リストを表示させるのと同様に、削除指示画面に対応するＨＴＭＬファイルをクライアント端末に送信して行わせることは当業者にとって自明の事項であるから、引用発明に前記周知技術を適用する際に前記慣用技術を採用し、ＷＷＷサーバ手段において「選択された文書の文書番号が削除対象の欄に自動挿入された削除用のＨＴＭＬファイルをクライアント端末に送信して、クライアント端末に前記選択された文書の文書番号が削除対象の欄に挿入された削除指示画面を表示させ、クライアント端末において削除対象の欄に挿入されている選択された文書の文書番号を削除することの決定を行わせる」ことは当業者が適宜なし得ることといえる。
　
　そして、これらの相違点１及び２を総合的に考慮しても当業者が容易になし得ることといえ、一方、本願補正発明の奏する効果は、引用例１に記載された事項、前記周知技術、及び前記慣用技術から想定できる程度のものにすぎず、格別なものとは認められない。
　したがって、本願補正発明は、引用例１に記載された事項、前記周知技術、及び前記慣用技術に基づいて、当業者が容易に発明をすることができたものであるから、特許法２９条２項の規定により特許出願の際独立して特許を受けることができないものである。
　
　（８）　むすび
　以上のとおり、本件補正が、補正前発明の請求項１及び２に係る発明を特定するために必要な事項である「ネットワーク通信装置」を「ネットワークファクシミリ装置」と限定する補正であり、平成１８年改正前特許法１７条の２第４項２号の特許請求の範囲の減縮を目的とするものに該当するとしても、本件補正は、平成１８年改正前特許法１７条の２第５項で準用する同法１２６条５項の規定に違反するものであり、特許法１５９条１項で準用する同法５３条１項の規定により却下すべきものである。
　
第３　本願発明について
　１　平成１８年９月８日付の手続補正は上記のとおり却下されたので、本願の請求項２に係る発明（以下、「本願発明」という。）は、平成１８年７月１３日付けで補正された特許請求の範囲の請求項２に記載された以下のとおりのものである。
　「【請求項２】　ネットワークに接続されるネットワーク制御手段を有するネットワーク通信装置において、ネットワークより前記ネットワーク制御手段を介して受信したイメージデータを、このイメージデータに自動的に付与される文書番号とともに格納する記憶手段と、この記憶手段に格納された文書番号を含む文書リストを作成するＨＴＭＬファイル作成手段と、前記ネットワーク制御手段を介して入力されるクライアント端末からの指示に基づいて、前記ＨＴＭＬファイル作成手段により作成された文書リストを前記クライアント端末に送信して文書リストとして表示させ、前記クライアント端末における前記文書リスト中の文書の選択と、削除アイコンの選択とに基づいて、選択された文書の文書番号が削除対象の欄に自動挿入された削除用のＨＴＭＬファイルを前記クライアント端末に送信して、前記クライアント端末に前記選択された文書の文書番号が削除対象の欄に挿入された削除指示画面を表示させ、前記クライアント端末において削除対象の欄に挿入されている前記選択された文書の文書番号を削除することの決定を行わせるＷＷＷサーバ手段とを具備するネットワーク通信装置。」
　
　２　分割要件についての判断
　まず、本願が平成１８年改正前特許法４４条１項の要件を満たし、同条２項の規定により本件出願が原出願がされた時にされたものとみなすべきか以下に検討する。
　同条１項は「二以上の発明を包含する特許出願の一部を一又は二以上の新たな特許出願とすることができる。」と規定しており、新たな特許出願の対象となる発明は原出願の明細書又は図面に記載されている発明であると解される。そして、分割出願は原出願の出願の時に出願されたものとみなされるという出願の分割の効果を考慮すると、分割出願の明細書又は図面が、原出願の願書に最初に添付した明細書又は図面（以下、「原出願当初明細書」という。）に記載した事項の範囲内であることが要件となる。
　そこで、上記要件について検討する。
　原出願当初明細書においては、一貫して「ネットワークファクシミリ装置」のみについて説明されており、「ネットワークファクシミリ装置」が「ネットワーク通信装置」の一例示にすぎないと認識できるような記載や、「ネットワークに接続されるネットワーク制御手段」、「ネットワークよりネットワーク制御手段を介して受信したイメージデータを、このイメージデータに自動的に付与される文書番号とともに格納する記憶手段」、「この記憶手段に格納された文書番号を含む文書リストを作成するＨＴＭＬファイル作成手段」及び「ネットワーク制御手段を介して入力されるクライアント端末からの指示に基づいて、ＨＴＭＬファイル作成手段により作成された文書リストをクライアント端末に送信して文書リストとして表示させ、クライアント端末における文書リスト中の文書の選択と、削除アイコンの選択とに基づいて、選択された文書の文書番号が削除対象の欄に自動挿入された削除用のＨＴＭＬファイルをクライアント端末に送信して、クライアント端末に選択された文書の文書番号が削除対象の欄に挿入された削除指示画面を表示させ、クライアント端末において削除対象の欄に挿入されている選択された文書の文書番号を削除することの決定を行わせるＷＷＷサーバ手段」が「ネットワーク通信装置」一般に適用されるものである旨の示唆すらない。
　また、出願時の技術常識からみて前記「ネットワーク制御手段」、前記「記憶手段」、前記「ＨＴＭＬファイル作成手段」及び前記「ＷＷＷサーバ手段」を「ネットワークファクシミリ装置」以外の「ネットワーク通信装置」に適用することが容易であるとしても、原出願当初明細書の記載において、前記「ネットワーク制御手段」、前記「記憶手段」、前記「ＨＴＭＬファイル作成手段」及び前記「ＷＷＷサーバ手段」が「ネットワークファクシミリ装置」以外の「ネットワーク通信装置」に適用されるものと理解できる手がかりが全くない以上、当業者にとって前記「ネットワーク制御手段」を有し、前記「記憶手段」、前記「ＨＴＭＬファイル作成手段」及び前記「ＷＷＷサーバ手段」を具備する「ネットワーク通信装置」が原出願当初明細書に記載されているのと同然であるとはいえない。
　してみると、前記「ネットワーク制御手段」を有し、前記「記憶手段」、前記「ＨＴＭＬファイル作成手段」及び前記「ＷＷＷサーバ手段」を具備する「ネットワーク通信装置」である本願発明は、原出願当初明細書に記載した事項の範囲内のものではない。
　したがって、本願は平成１８年改正前特許法４４条１項の要件を満たさないから、その出願日は現実の出願日である平成１５年２月１４日と認める。
　
　３　引用例
　原査定の拒絶の理由で引用された特開２０００−１９６７９８号公報（以下、「引用例３」という。）には次の事項が図面と共に開示されている。（引用箇所は段落番号で表示）
　キ　「【００４１】以下、本発明の実施の形態について図面を参照して詳細に説明する。
【００４２】及び【００４３】（略）
【００４４】このネットワークファクシミリ装置は、スキャナ部５によって原稿などのイメージデータの読み取りを行い、読み取ったイメージデータ又は受信したイメージデータの印刷をプリンタ部６にて行う。また、パネル部７からユーザがイメージの読み込み指示や送信先の宛先入力などの操作を行えるようになっており、圧縮・伸長部８が受信したイメージデータの伸長または読み取ったイメージデータの圧縮を行う。ＦＡＸ・音声通信部９は電話回線に接続し、ファクシミリ通信や音声通信を行い、ネットワーク制御部１０はネットワークに接続し、インターネット通信を行う。
【００４５】（略）
【００４６】ＨＴＭＬファイル生成部１１は、ＦＡＸ受信及び電子メール受信したイメージデータのリストなどを、ホームページ上で閲覧可能なＨＴＭＬファイルに変換してサーバ登録する機能ブロックである。
【００４７】ＷＷＷサーバ部１２は、ＷＷＷブラウザとの間でＨＴＴＰプロトコルにしたがった通信を行い、ホームページデータ（ＨＴＭＬファイル）の受け渡しをする等のサーバ機能を提供する。」
　ク　「【００５９】次に、本実施の形態にかかるネットワークファクシミリ装置の動作について説明する。以下、受信リストの生成、受信リストの編集、受信リストのＢＯＸ移動、アドレス帳生成、装置設定の各動作に別けて説明する。
【００６０】図４に受信リストの生成動作のフローチャートを示す。本ネットワークファクシミリ装置は、ＦＡＸ・音声通信部９又は電子メール通信部１３で受信された受信データの受信リストをホームページに登録する。
【００６１】データ受信が発生すると、受信形態が電話回線かインターネットかを判断する（ＳＴ４０１）。電子メール通信部１３が電子メールを受信した場合がインターネットからの受信である。この場合、電子メール通信部１３が電子メールを受信し（ＳＴ４０２）、添付データが画像ファイルの標準フォーマットであるＴＩＦＦ(Tag Images File Format)形式のイメージデータであれば、例えば「mail0001.tif」というようなファイル名を付与して外部記憶部４に格納し（ＳＴ４０７）、音声データであれば「audio0001.wav」というようなファイル名を付与して外部記憶部４に格納する（ＳＴ４０７）。
【００６２】（略）
【００６３】外部記憶部４に受信データを格納した後、ＨＴＭＬファイル生成部１１が受信リストにファイル名を追加して受信リストのＨＴＭＬファイルを更新する（ＳＴ４０８）。
【００６４】受信リストのＨＴＭＬファイルの更新について具体的に説明する。ＨＴＭＬファイル生成部１１のドキュメントリスト生成部３７が、受信リストのＨＴＭＬファイルを更新する。ドキュメントリスト生成部３７は、外部記憶部４に格納されている受信リストテーブルを管理している。図５に受信リスト管理テーブルの構成例を示す。受信リストテーブルには、受信順に付与される文書番号毎に文書ファイル名、登録日付、発信者、標題が登録されている。
【００６５】ドキュメントリスト生成部３７は、受信のあったＦＡＸ・音声通信部９又は電子メール通信部１３から文書ファイル名、登録日付、発信者、標題が渡される。ファイル管理部３６を介して受信リストを読み出し、受信リストに文書番号を追加し、そこに文書ファイル名、登録日付、発信者、標題を登録する。受信データの文書名などが登録された受信リストを受信リストテーブルに戻すとともに、受信リストｈｔｍｌ（受信リストのＨＴＭＬファイル）を読み出す。
【００６６】図６にネットワークから受信した受信データについて作成した受信リストｈｔｍｌのソースファイルを示す。同図に示すように、受信リスト毎に先頭にはコメント行が挿入されており、コメント行の位置に受信形態を示す識別データと文書番号とが記述されている。そして、コメント行に続いて文書番号、日時、発信者、標題がＴＨＭＬ文書で記述されている。図６の受信リストｈｔｍｌに基づいて表示された受信リストの構成例を図１２に示す。」
　ケ　「【００８１】次に、ＷＷＷサーバ部１２の動作について説明する。図１０はＷＷＷサーバ部１２の動作を示すフローチャートである。WWWサーバ通信部３１は、ＨＴＴＰプロトコルにしたがって動作することによりクライアントマシン２０２からネットワークを介してリクエストを受け取り又は応答を返す。WWWサーバ通信部３１が受け取るリクエストはコマンドによってファイル要求とＣＧＩ処理要求との２つに大きく別けられる。
【００８２】ないし【００８７】（略）
【００８８】上記ステップ１０９において受信リスト処理が実行される前提として、クライアントマシン２０２においてＨＴＭＬ文書画面上で必要なデータが入力される。図７に示すフローチャートのステップ７０６で、図９に示すホームページメイン画面（ＨＴＭＬ文書画面上）でインターネット受信リストアイコンを選択する。これにより、インターネット受信リストにリンクされているＨＴＭＬファイルをＷＷＷサーバ部１２に対してファイル要求される。
【００８９】サーバ側の外部記憶部４には、上述したようにインターネット受信リストのＨＴＭＬファイルが登録されており、電子メール受信がある毎にドキュメントリスト生成部３７によって更新されている。ＷＷＷサーバ部１２はクライアントマシン２０２からのファイル要求に応えてファイル送出部３５がファイル管理部３６に該当ファイルの読み出しを要求するとともに、読み出したインターネット受信リストのＨＴＭＬファイルをクライアントマシン２０２へ送信する。
【００９０】クライアントマシン２０２上のＷＷＷブラウザは、受信したインターネット受信リストのＨＴＭＬファイルにしたがってＨＴＭＬ文書で構成されたインターネット受信リストの画面を表示する。
【００９１】図１２にＨＴＭＬ文書で構成されたインターネット受信リストの画面を示す。本実施の形態では、文書番号、登録日付、発信者、標題及びチェックアイコンからなるリストと、送信、印刷、削除、編集、移動などのアイコンが並べられたフレームメニューとから構成されている。このようにしてインターネット受信文書画面をユーザに提示することができる。
【００９２】ユーザは、図１２のインターネット受信文書画面上で作業対象の文書番号を選択する。文書番号は選択ボックスをチェックすることにより選択される。文書番号を選択した後に、フレームメニューの中から任意の作業を選ぶ。
【００９３】及び【００９４】（略）
【００９５】また、クライアントマシン２０２上のＷＷＷブラウザは、ユーザによって「削除」アイコンが選択された場合には、「削除」アイコンにリンクされたＨＴＭＬファイルをＷＷＷサーバ部１２に対してファイル要求する。
【００９６】ＷＷＷサーバ部１２では、ファイル要求を受け取るとＷＷＷサーバ通信部３１からファイル送出部３５へ「削除」アイコンにリンクされたＨＴＭＬファイルのファイル名が通知される。ファイル送出部３５はファイル管理部３６を介して外部記憶部４から該当ファイルを取出して、クライアントマシン２０２へ送る。図１３に受信リストから文書番号を削除するのに使うＨＴＭＬ文書画面の構成例を示す。文書番号の欄に、先程選択した文書番号が自動的に挿入されるようにしている。
【００９７】ユーザは、文書番号の欄に自動挿入された削除対象の文書番号を確認してから、決定のボタンを選択する。決定ボタンが選択されると、アプリケーション種別として削除ＣＧＩアプリケーションを選定し、削除対象の文書番号が設定された要求データがＷＷＷサーバ部１２へ送信される。」
　
　上記キないしケの記載によると、引用例３には、「ネットワークに接続し、インターネット通信を行うネットワーク制御部１０を有するネットワークファクシミリ装置において、
　インターネットからの受信である場合、イメージデータをファイル名を付与して、受信順に付与される文書番号毎に文書ファイル名、登録日付、発信者、標題が登録される受信リストテーブルとともに格納する外部記憶部４と、
ネットワークから受信した受信データについて文書番号が記述された受信リストｈｔｍｌを作成するＨＴＭＬファイル生成部１１と、
クライアントマシン２０２からのファイル要求に応えてインターネット受信リストのＨＴＭＬファイルをクライアントマシン２０２へ送信し、クライアントマシン２０２上のＷＷＷブラウザは、受信したインターネット受信リストのＨＴＭＬファイルにしたがってインターネット受信リストの画面を表示し、ユーザはインターネット受信文書画面上で作業対象の文書番号を選択し、「削除」アイコンが選択された場合には、文書番号の欄に、先程選択した文書番号が自動的に挿入されるようにしている受信リストから文書番号を削除するのに使うＨＴＭＬ文書画面をクライアントマシン２０２へ送り、ユーザに文書番号の欄に自動挿入された削除対象の文書番号を確認してから、決定のボタンを選択させるＷＷＷサーバ部１２とを具備するネットワークファクシミリ装置。」の発明（以下、「引用発明２」という。）が記載されていると認められる。
　
　４　対比
　本願発明と引用発明２とを対比する。
　本願発明と引用発明２とは、いずれもネットワークを介して通信を行う通信装置に関するものといえる。
　引用発明２の「ネットワークに接続し、インターネット通信を行うネットワーク制御部１０」は、本願発明の「ネットワークに接続されるネットワーク制御手段」に相当する。
　引用発明２において、インターネットからの受信がネットワーク制御部を介して行われることは明らかであるから、引用発明２の「インターネットからの受信である場合、イメージデータをファイル名を付与して、受信順に付与される文書番号毎に文書ファイル名、登録日付、発信者、標題が登録される受信リストテーブルとともに格納する外部記憶部４」は、本願発明の「ネットワークよりネットワーク制御手段を介して受信したイメージデータを、このイメージデータに自動的に付与される文書番号とともに格納する記憶手段」に相当する。
　引用発明２において、ネットワークから受信した受信データは文書番号とともに外部記憶部に記憶されたデータであるから、引用発明２の「ネットワークから受信した受信データについて文書番号が記述された受信リストｈｔｍｌを作成するＨＴＭＬファイル生成部１１」は、本願発明の「この記憶手段に格納された文書番号を含む文書リストを作成するＨＴＭＬファイル作成手段」に相当する。
　引用発明２において、クライアントマシン２０２からのファイル要求がネットワーク制御手段を介して入力されること、受信リストから文書番号を削除するのに使うＨＴＭＬ文書画面がクライアントマシンに表示させられること、及び、決定のボタンの選択がクライアントマシンにおいてなされることはいずれも当業者にとって明らかな事項であるから、引用発明２の「クライアントマシン２０２からのファイル要求に応えてインターネット受信リストのＨＴＭＬファイルをクライアントマシン２０２へ送信し、クライアントマシン２０２上のＷＷＷブラウザは、受信したインターネット受信リストのＨＴＭＬファイルにしたがってインターネット受信リストの画面を表示し、ユーザはインターネット受信文書画面上で作業対象の文書番号を選択し、「削除」アイコンが選択された場合には、文書番号の欄に、先程選択した文書番号が自動的に挿入されるようにしている受信リストから文書番号を削除するのに使うＨＴＭＬ文書画面をクライアントマシン２０２へ送り、ユーザに文書番号の欄に自動挿入された削除対象の文書番号を確認してから、決定のボタンを選択させるＷＷＷサーバ部１２」は、本願発明の「ネットワーク制御手段を介して入力されるクライアント端末からの指示に基づいて、ＨＴＭＬファイル作成手段により作成された文書リストをクライアント端末に送信して文書リストとして表示させ、クライアント端末における文書リスト中の文書の選択と、削除アイコンの選択とに基づいて、選択された文書の文書番号が削除対象の欄に自動挿入された削除用のＨＴＭＬファイルをクライアント端末に送信して、クライアント端末に選択された文書の文書番号が削除対象の欄に挿入された削除指示画面を表示させ、クライアント端末において削除対象の欄に挿入されている前記選択された文書の文書番号を削除することの決定を行わせるＷＷＷサーバ手段」に相当する。
　
　以上を踏まえると、両者の一致点及び相違点は以下のとおりである。
【一致点】　ネットワークに接続されるネットワーク制御手段を有する通信装置において、ネットワークより前記ネットワーク制御手段を介して受信したイメージデータを、このイメージデータに自動的に付与される文書番号とともに格納する記憶手段と、この記憶手段に格納された文書番号を含む文書リストを作成するＨＴＭＬファイル作成手段と、前記ネットワーク制御手段を介して入力されるクライアント端末からの指示に基づいて、前記ＨＴＭＬファイル作成手段により作成された文書リストを前記クライアント端末に送信して文書リストとして表示させ、前記クライアント端末における前記文書リスト中の文書の選択と、削除アイコンの選択とに基づいて、選択された文書の文書番号が削除対象の欄に自動挿入された削除用のＨＴＭＬファイルを前記クライアント端末に送信して、前記クライアント端末に前記選択された文書の文書番号が削除対象の欄に挿入された削除指示画面を表示させ、前記クライアント端末において削除対象の欄に挿入されている前記選択された文書の文書番号を削除することの決定を行わせるＷＷＷサーバ手段とを具備する通信装置。
　
【相違点】　本願発明が「ネットワーク通信装置」であるのに対し、引用発明２が「ネットワークファクシミリ装置」である点。
　
　５　当審の判断
　ネットワークファクシミリ装置が、ファクシミリデータをネットワークを介して通信するネットワーク通信装置として機能することは当業者にとって明らかな事項であるから、引用発明２の構成をネットワーク通信装置に適用することは当業者が容易に想到し得たことといえる。
　
　６　むすび
　以上のとおり、本願発明は、引用例３に記載された発明に基づいて、当業者が容易に発明をすることができたものであるから、特許法２９条２項の規定により特許を受けることができない。
　したがって、本願は、他の請求項について検討するまでもなく拒絶すべきものである。
　よって、結論のとおり審決する。